(57)【特許請求の範囲】
【請求項１】
セルの再選択の方法であって、前記方法は無線デバイスが複数のセルラー通信プロトコルを実行することにより実行されるものであり、
第１のセルラー通信プロトコルに従って動作する第１のセルにアタッチするステップを含む、第１の時点において前記第１のセルラー通信プロトコルに従って動作するステップと、
第２の時点において第２のセルラー通信プロトコルに従って動作するステップであって、前記第２の時点において前記第２のセルラー通信プロトコルに従って動作するステップは、前記第２のセルラー通信プロトコルのページング周期に従うものであり、前記第２の時点において前記第２のセルラー通信プロトコルに従って動作するステップは、前記第２のセルラー通信プロトコルに従ってページングメッセージをモニタするために前記第２のセルラー通信プロトコルに従って動作する第２のセルにアタッチするステップを含み、前記第１のセルラー通信プロトコルに従う動作は、前記第２のセルラー通信プロトコルに従って動作するステップの間に中断し、
前記無線デバイスは、共有無線機を使用して、前記第１及び第２のセルラー通信プロトコルを実行し、前記第１のセルラー通信プロトコルは第１のプロトコルスタックを含み、前記第２のセルラー通信プロトコルは第２のプロトコルスタックを含み、一度に前記第１及び第２のプロトコルスタックのうちの１つのみが前記共有無線機を制御する、第２の時点において第２のセルラー通信プロトコルに従って動作するステップと、
第３の時点において前記第１のセルラー通信プロトコルに従って動作するステップを再開するよう試みるステップであって、前記第３の時点は前記第２のセルラー通信プロトコルに従ったページングメッセージのモニタを終えた後に生じ、
前記第１のセルの信号強度メトリックを計測するステップと、
前記第１のセルの信号品質メトリックを計測するステップと、
前記第１のセルの前記計測された信号強度メトリック及び信号品質メトリックに少なくとも部分的に基づいて、アタッチするためのセルを選択するステップと、
を含む、第３の時点において前記第１のセルラー通信プロトコルに従って動作するステップを再開するよう試みるステップと、
を含む、方法。
【請求項２】
アタッチするためのセルを選択するステップは、
前記第１のセルの信号強度が信号強度閾値より高いと判断するステップと、
前記第１のセルの信号品質が信号品質閾値よりも低いと判断するステップと、
前記第１のセルの信号強度が前記信号強度閾値よりも高いと判断され、かつ前記第１のセルの信号品質が前記信号品質閾値よりも低いと判断されるステップに基づいて、セルの再選択手順を実行するステップと、
を含む、請求項１に記載の方法。
【請求項３】
前記セルの再選択手順を実行するステップは、前記第１のセルラー通信プロトコルに従って動作する近隣のセルを探索するステップを含む、請求項２に記載の方法。
【請求項４】
アタッチするためのセルを選択するステップは、
前記第１のセルの信号強度が信号強度閾値より低いと判断するステップと、
前記第１のセルの信号品質が信号品質閾値よりも低いと判断するステップと、
前記第１のセルの信号強度が前記信号強度閾値よりも低いと判断され、かつ前記第１のセルの信号品質が前記信号品質閾値よりも低いと判断されるステップに基づいて、セルの再選択手順を実行するステップと、
を含む、請求項１に記載の方法。
【請求項５】
前記セルの再選択手順を実行するステップは、前記第１のセルラー通信プロトコルに従って動作する近隣のセルを探索するステップ及び前記第１のセルラー通信プロトコル以外の１つ以上のセルラー通信プロトコルに従って動作する近隣のセルを探索するステップを含む、請求項４に記載の方法。
【請求項６】
前記第２のセルの信号強度又は信号品質のうちの少なくとも一方を計測するステップと、
前記第２のセルの信号強度又は信号品質のうちの前記少なくとも一方と、前記第１のセルの前記信号強度又は信号品質のうちの少なくとも一方とを比較するステップと、
前記第２のセルの信号強度又は信号品質のうちの前記少なくとも一方と、１つ以上の信号強度又は信号品質閾値と比較するステップと、
前記比較に基づき、アタッチするための前記第２のセルを選択するステップと、
前記第３の時点において無線間アクセス技術（ＩＲＡＴ）接続を介して前記第２のセルにアタッチするステップと、
を更に含む、請求項５に記載の方法。
【請求項７】
前記選択されたセルは、前記第１のセルラー通信プロトコルに従って動作し、前記方法は、
前記第３の時点において前記選択されたセルと共に前記第１のセルラー通信プロトコルに従って動作するステップを再開するステップを含み、前記第１のセルラー通信プロトコルに従って動作するステップを再開するステップは、前記第１の時点において開始し、前記第２の時点において中断した動作を再開するステップを更に含む、請求項１に記載の方法。
【請求項８】
前記第１のセルラー通信プロトコルはＬＴＥであって、前記第２のセルラー通信プロトコルは１×ＲＴＴである、請求項１に記載の方法。
【請求項９】
単一の無線機を使用する複数の無線アクセス技術（ＲＡＴ）を使用して通信するように構成された無線ユーザ機器（ＵＥ）デバイスであって、
無線通信のために構成された回路を含む、第１のＲＡＴ又は第２のＲＡＴのいずれかに従って使用されるように構成された無線機であって、第１のプロトコルスタックは前記第１のＲＡＴに従った通信能力を提供し、第２のプロトコルスタックは前記第２のＲＡＴに従った通信能力を提供し、一度に前記第１及び第２のプロトコルスタックのうちの一方のみが無線機を制御する、無線機と、
前記無線機を制御するように構成されたロジックと、を備え、前記ロジックは、
前記第１のＲＡＴに従う動作を開始し、前記第１のＲＡＴに従う動作を開始することは、前記第１のＲＡＴに従って動作する第１のセルにアタッチすることを含み、
前記第２のＲＡＴに従ってページングメッセージをモニタするために、前記第２のＲＡＴのページング周期に従って前記第２のＲＡＴに従う動作を開始し、前記第１のＲＡＴに従う動作は前記第２のＲＡＴに従う動作中に中断し、
前記第２のＲＡＴに従ったページングメッセージのモニタを終えた後に前記第１のＲＡＴに従う動作を再開する、
ように構成され、前記第１のＲＡＴに従う動作を再開するために、前記ロジックは、
前記第１のセルの信号強度メトリックを計測し、
前記第１のセルの信号品質メトリックを計測し、
前記第１のセルの前記計測された信号強度メトリック及び信号品質メトリックに少なくとも部分的に基づいて、アタッチするためのセルを選択する、
ように構成された、ＵＥデバイス。
【請求項１０】
アタッチするためのセルを選択するために、前記ロジックは、
前記第１のセルの前記計測された信号強度メトリック及び信号品質メトリックと、１つ以上の閾値とを比較し、
前記比較に基づいて、セルの再選択手順を実行すべきかどうかを判断する、ように構成された、請求項９に記載のＵＥデバイス。
【請求項１１】
前記セルの再選択手順は、前記第１のＲＡＴに従って動作するセルを探索することと、１つ以上の信号強度メトリック又は１つ以上の信号品質メトリックに少なくとも部分的に基づいて、アタッチするためのセルを選択することと、
を含む、請求項１０に記載のＵＥデバイス。
【請求項１２】
前記セルの再選択手順は、前記第１のＲＡＴ以外の１つ以上のＲＡＴに従って動作するセルを探索することを更に含む、請求項１１に記載のＵＥデバイス。
【請求項１３】
前記ロジックは、前記第１のセルの前記計測された信号強度メトリック及び信号品質メトリックと前記１つ以上の閾値との比較が、前記第１のセルより高い信号強度を有する近隣のセルが高い確率で存在することを示す場合、前記セルの再選択手順を実行するよう判断されるように構成される、請求項１０に記載のＵＥデバイス。
【請求項１４】
前記ロジックは、前記第１のセルの前記計測された信号強度メトリック及び信号品質メトリックと前記１つ以上の閾値との比較が、前記第１のセルが許容可能な信号強度又は信号品質のうちの１つ以上を提供することを示す場合、前記第１のセルに再アタッチするよう試みるように構成される、請求項１０に記載のＵＥデバイス。
【請求項１５】
アタッチするためのセルを選択することは、
前記第１のセルの信号強度が第１の信号強度閾値よりも高く、かつ前記第１のセルの信号品質が第１の信号品質閾値よりも低い場合、第１のセルの再選択手順を実行することと、
前記第１のセルの信号強度が第２の信号強度閾値よりも低く、かつ前記第１のセルの信号品質が第２の信号品質閾値よりも低い場合、第２のセルの再選択手順を実行することと、
を含む、請求項９に記載のＵＥデバイス。
【請求項１６】
前記第１のセルの再選択手順は、前記第１のＲＡＴに従って動作する近隣のセルを探索することを含み、
前記第２のセルの再選択手順は、前記第１のＲＡＴに従って動作する近隣のセルを探索することと、少なくとも１つの他のＲＡＴに従って動作する近隣のセルを探索することと、を含む、請求項１５に記載のＵＥデバイス。
【請求項１７】
セルを再選択するための無線デバイスにより実行可能なプログラム命令を備えるコンピュータアクセス可能なメモリ媒体であって、前記無線デバイスは、第１の通信セルラープロトコルを実行する第１のプロトコルスタックにより制御されるときは前記第１のセルラー通信プロトコルに従って動作し、第２のセルラー通信プロトコルを実行する第２のプロトコルスタックにより制御されるときは前記第２のセルラー通信プロトコルに従って動作するように構成された無線機を含み、一度に前記第１及び第２のプロトコルスタックの一方のみが前記無線機を制御し、実行されると、前記プログラム命令は前記無線デバイスに、
前記第１のセルラー通信プロトコルに従って動作する第１のセルと通信することを含む、第１の時点において前記第１のセルラー通信プロトコルに従って動作することと、
第２の時点において前記第２のセルラー通信プロトコルに従って動作することであって、前記第２の時点において前記第２のセルラー通信プロトコルに従って動作することは、前記第２のセルラー通信プロトコルのページング周期に従うものであり、前記第２の時点において前記第２のセルラー通信プロトコルに従って動作することは、前記第２のセルラー通信プロトコルに従ってページングメッセージをモニタするために前記第２のセルラー通信プロトコルに従って動作する第２のセルと通信することを含み、前記第１のセルラー通信プロトコルに従う動作は、前記第２のセルラー通信プロトコルに従って動作することの間に中断する、第２の時点において前記第２のセルラー通信プロトコルに従って動作することと、
第３の時点において前記第１のセルラー通信プロトコルに従って動作することを再開するよう試みることと、
をさせ、前記第３の時点は前記第２のセルラー通信プロトコルに従ったページングメッセージのモニタを終えた後に生じ、前記第３の時点において前記第１のセルラー通信プロトコルに従って動作することを再開するよう試みるために、前記プログラムは前記無線デバイスに、
前記第１のセルの信号強度メトリックを計測することと、
前記第１のセルの信号品質メトリックを計測することと、
前記第１のセルの信号強度及び信号品質と、１つ以上の閾値とを比較することと、
前記第１のセルの信号強度及び信号品質と前記１つ以上の閾値との比較に少なくとも部分的に基づいて、通信するためのセルを選択することと、
を更にさせる、メモリ媒体。
【請求項１８】
実行されると、前記プログラム命令は、前記無線デバイスに、
前記第１のセルの信号強度及び信号品質と前記１つ以上の閾値との比較が、第１の結果を生み出す場合、第１のセルの再選択手順を実行することであって、前記第１の結果は、前記第１のセルよりも強い信号強度を有する近隣のセルが使用可能である確率が高いことを示す結果である、第１のセルの再選択手順を実行することと、
前記第１のセルの信号強度及び信号品質と前記１つ以上の閾値との比較が、第２の結果を生み出す場合、前記第１のセルの再選択手順を実行せずに、再アタッチするための前記第１のセルを選択することであって、前記第２の結果は、前記第１のセルが適切なサービスを提供する可能性があるであろうことを示す結果である、再アタッチするための前記第１のセルを選択することと、
を更にさせる、請求項１７に記載のメモリ媒体。
【請求項１９】
実行されると、前記プログラム命令は、前記無線デバイスに、
前記第１のセルの信号強度及び信号品質と前記１つ以上の閾値との比較が、第３の結果を生み出す場合、第２のセルの再選択手順を実行することであって、前記第３の結果は、前記第１のセルが適切なサービスを提供できないであろうことを示す結果である、第２のセルの再選択手順を実行することを更にさせる、請求項１８に記載のメモリ媒体。
【請求項２０】
前記第１のセルの再選択手順は、前記第１のセルラー通信プロトコルに従って動作する近隣のセルの信号強度及び信号品質のうちの少なくとも一方を計測することを含み、
前記第２のセルの再選択手順は、前記第１のセルラー通信プロトコルに従って動作する近隣のセル及び前記第１のセルラー通信プロトコル以外の１つ以上のセルラー通信プロトコルに従って動作する近隣のセルの両方の信号強度及び信号品質のうちの少なくとも一方を計測することを含む、請求項１９に記載のメモリ媒体。
【発明の詳細な説明】
【技術分野】
【０００１】
本出願は、無線通信の分野に関し、特に、複数のセルラー通信プロトコルに従って動作するように構成されたデバイスのセルを再選択するためのシステム及び方法に関する。
【背景技術】
【０００２】
無線通信システムの利用が急速に広がっている。更に、無線通信技術は、音声のみの通信から、インターネット及びマルチメディアコンテンツ等の、データの伝送も含むまでに進化した。無線通信システムが進化するにつれて、無線通信技術の後続世代が開発される傾向がある。新世代の無線技術の採用は、１つ以上の前世代の同様の技術が、新世代技術と共存する期間、例えば新世代の無線技術が完全に展開するまでの一定期間、においての、漸進的なプロセスであってもよい。
【０００３】
更に、多数の異なる無線通信技術及び規格が存在する。無線通信規格のいくつかの例としては、ＧＳＭ（登録商標）、ＵＭＴＳ、ＬＴＥ、ＣＤＭＡ２０００（例えば、１×ＲＴＴ、１×ＥＶ−ＤＯ）、ＩＥＥＥ  ８０２．１１（ＷＬＡＮ又はＷｉ−Ｆｉ（登録商標））、ＩＥＥＥ  ８０２．１６（ＷｉＭＡＸ（登録商標））、Ｂｌｕｅｔｏｏｔｈ（登録商標）等が含まれる。これらの規格の一部は、補完の機能を果たすことができる一方、他のものは、典型的には、消費者間での類似のニーズを満たすことを試みる競合とみなすことができる。
【０００４】
無線通信技術の世代間の連続性をもたらすために、補完的な機能性を提供するために、及び／又はその他の理由のために、デバイスが複数の無線技術又は規格を使用して通信するための能力を提供することが望ましい場合が多くある。いくつかの場合において、これは、デバイス内にそれぞれの無線通信技術又は規格用に別個の機能ブロックを設けることにより達成することができる。しかしながら、これは、より多くの（場合によっては複製の）コンポーネントが必要とされることによる、デバイスに関連する追加費用が発生する場合があり、デバイス動作における非効率性を引き起こし得る（例えば、複数の無線機により、大きな電力が必要となる、無線間の干渉が互いに悪影響を及ぼす。）。これはまた、特に、デバイスが、小さい（例えば、スリム化、軽量化した）フォームファクタが望ましい移動デバイスである場合は、デバイスのフォームファクタに悪影響を及ぼすことがある。したがって、無線通信及び無線通信を行うデバイスの改良が望ましいであろう。
【発明の概要】
【０００５】
異なる無線通信技術を実現するために別個の機能ブロック（例えば、別個の無線機）を使用するデバイスとは対照的に、代替案として、複数の無線通信技術を実現するために単一の機能ブロック（例えば、単一の無線機）を使用するデバイスを含んでもよい。このようなデバイスは、（例えば、より少ない必須コンポーネント及び／又はより簡単な全体的なアーキテクチャにより）潜在的に安価な製造コスト、及び（例えば、単一の無線機に必要な電力が少ないため）より効率的な動作を実現できる。更に、このような単一の無線設計により、容易にデバイス自体のより望ましいフォームファクタ（例えば、スリム化、軽量化）を可能にすることができる。しかし、効果的に複数の無線技術を実現する単一の無線機を提供するためには、高度な制御アルゴリズムが必要となり得る。
【０００６】
一例として、いくつかの場合において、デバイスは、１つの無線機を共有する複数の無線アクセス技術（ＲＡＴ）のそれぞれに対して個別のプロトコルスタックを実現することができる。プロトコルスタックは、交代して無線機を操作してもよく、例えば、最初に第１のプロトコルスタックは、第１のセルと共に無線機を使用して動作してもよいが、第２のプロトコルスタックが無線機を使用できるように、定期的に「チューンアウェイ」することができる。第２のプロトコルスタックの動作中に、第１のプロトコルスタックは、動作を中断又は一時的に停止させることができる。無線が第１のプロトコルスタックに「チューンバック」した後に、動作を再開してもよい。
【０００７】
無線が第１のプロトコルスタックから「チューンアウェイ」してからの時間において、第１のセルが弱くなっている一方、１つ以上の他のセルが強くなる場合がある。このように、単純に第１のセルの再加入を試みるのは効果がない場合があり、第１のＲＡＴに従ったサービスの再確立に遅延が生じる可能性がある。しかしながら、無線制御が頻繁に往復して通過する場合、加入するセルを決定するためのフルスキャンをＲＡＴが制御を再開する度に実行することは、（例えば、バッテリ及び性能面において）過度にコストがかかる試みとなり得る。元のセル又は新しいセルのいずれかと共に、迅速かつ効率的にサービスを再確立するための解決策が望ましいであろう。
【０００８】
したがって、様々な実施形態は、複数の無線通信プロトコルを用いて通信するように構成されるユーザ機器（ＵＥ）デバイスにおいてセルを再選択するためのシステムおよび方法を提示している。本明細書で提示されるシステム及び方法の実施形態は、本開示に照らして当業者には明らかであろうシステム及び方法の他の有益な態様の中で、上述の問題を効果的に低減し、目的を達成することができる。
【０００９】
開示の実施形態は、複数の無線通信プロトコルを用いて通信するように構成されたＵＥデバイスのセルを再選択するためのこのような方法、このような方法を実行するように構成されたＵＥデバイス、及び／又はこのような方法を実行するためプロセッサによって実行可能なプログラム命令を記憶するコンピュータアクセス可能な記憶媒体を対象とすることができる。
【００１０】
ＵＥデバイスは、例えば、無線通信を行うために構成された、１つ以上のアンテナ並びにその他のアナログ及び／又はデジタルコンポーネントを備えた無線機を含むことができる。無線機は、第１のセルラー通信プロトコル（例えば、第１のＲＡＴ）又は第２のセルラー通信プロトコル（例えば、第２のＲＡＴ）のいずれかに従う使用のために構成されてもよい。すなわち、無線機は、いくつかの実施形態において、第１のセルラー通信プロトコル及び第２のセルラー通信プロトコル間で共有することができる。第１及び第２のＲＡＴは、ＬＴＥ、ＵＭＴＳ、ＣＤＭＡ２０００（例えば、１×ＲＴＴ、１×ＥＶＤＯ等）等を含む各種ＲＡＴのいずれであってもよい。
【００１１】
ＵＥデバイスはまた、プログラム命令を実行するように構成された１つ以上のプロセッサ等、無線機を制御するように構成されたロジックを含むことができる。更に、ＵＥデバイスは、ＵＥデバイスによって実行可能なプログラム命令を記憶することができる、永続的なコンピュータアクセス可能な記憶媒体を備えてもよい。その方法は、次のように実行することができる。
【００１２】
ＵＥデバイスは、第１の時点では、第１のセルラー通信プロトコルに従って動作してもよい。第１の時点において第１のセルラー通信プロトコルに従って動作することは、第１のセルにアタッチすること又は少なくとも第１のセルと通信することを含んでもよい。第１のセルは、第１のセルラー通信プロトコルに従って動作してもよい。
【００１３】
ＵＥデバイスは、第１のセルラー通信プロトコルに従って動作しながら、共有無線機を制御するように構成された第１のプロトコルスタックを含んでもよい。第１のセルラー通信プロトコルに従って動作することは、適宜第１のプロトコルスタックの様々な層における任意の数の手順を実行することを含んでもよく、その手順のいくつか又はすべては、第１のセルを介して第１のネットワークと通信することを含むことができる。
【００１４】
第２の時点では、ＵＥデバイスは第２のセルラー通信プロコルに従って動作してもよい。第２の時点において第２のセルラー通信プロトコルに従って動作することは、第２のセルにアタッチすること又は少なくとも第２のセルと通信することを含んでもよい。第２のセルは、第２のセルラー通信プロトコルに従って動作してもよい。
【００１５】
ＵＥデバイスは、第２のセルラー通信プロトコルに従って動作しながら、共有無線機を制御するように構成された第２のプロトコルスタックを含んでもよい。第２のセルラー通信プロトコルに従って動作することは、適宜第２のプロトコルスタックの様々な層における任意の数の手順を実行することを含んでもよく、その手順のいくつか又はすべては、第２のセルを介して第２のネットワークと通信することを含むことができる。いくつかの実施形態において、第１及び第２のネットワークは同じネットワークであってもよく、通信可能に互いに結合されていてもよい。
【００１６】
第１のセルラー通信プロトコルに従った動作は、第２のセルラー通信プロトコルに従った動作中に中断してもよい。したがって、第１の時点において行われる過程にあった１つ以上の手順は、第２の時点において第２のセルラー通信プロトコルに従ってＵＥデバイスが動作するために中断していてもよい。第２のセルラー通信プロトコルに従った動作は、同様に、第１のセルラー通信プロトコルに従った動作中に中断してもよい。
【００１７】
第３の時点では、ＵＥデバイスは、第１のセルラー通信プロトコルに従う動作の再開を試みてもよい。これは、第１のセルの信号強度メトリック及び／又は信号品質メトリックを計測することを含んでもよい。計測された信号強度及び／又は信号品質は、例えば、第１のセルが適切なサービスを提供できる可能性があるであろうか否かを判断するため及び／又は第１のセルよりも著しく優れた信号強度を有する近隣のセルが高い確率で存在し得るか否かを判断するために、１つ以上の閾値と比較することができる。
【００１８】
例えば、第１の比較は、第１のセルの信号強度と第１の信号強度閾値とを比較すること、及び第１のセルの信号品質と第１の信号品質閾値とを比較することが含まれてもよい。信号強度が第１の信号強度閾値よりも高く、かつ信号品質が第１の信号品質閾値よりも低い場合、より良いサービスをＵＥデバイスに提供できる可能性がある、より高い信号強度を有する近隣のセルが使用可能である可能性があること示すことができる。この場合、ＵＥデバイスは、第１のセルの再選択手順を実行することができる。第１のセルの再選択手順は、第１のセルラー通信プロトコルに従って動作する近隣のセルを探索すること、そのような任意の使用可能なセルの信号強度及び／又は信号品質の計測を実行すること、並びにアタッチするためのセルを信号強度及び／又は信号品質計測に少なくとも部分的に基づいて選択すること、を含んでいてもよい。選択されたセルは、第１のセル（例えば、第１のセルが適切なサービスを提供する可能性が最も高いと判断された場合）又は別のセル（例えば、別のセルが適切なサービスを提供する可能性が最も高いと判断された場合）であってもよい。
【００１９】
第１の比較の結果、上記条件が満たされない場合、第２の比較が行われてもよい。第２の比較は、第１のセルの信号強度と第２の信号強度閾値とを比較すること、及び第１のセルの信号品質と第２の信号品質閾値とを比較することが含まれてもよい。信号強度が第２の信号強度閾値よりも低く、かつ信号品質が第２の信号品質閾値よりも低い場合、第１のセルが適切なサービスを提供する可能性がほとんどないことを示すことができる。この場合、ＵＥデバイスは第２のセルの再選択手順を実行することができる。第２のセルの再選択手順は、第１のセルラー通信プロトコルに従って動作する近隣のセル及び他の互換性のあるセルラー通信プロトコルに従って動作するセルの両方を探索すること、そのような任意の使用可能なセルの信号強度及び／又は信号品質の計測を実行すること、並びにアタッチするためのセルを信号強度及び／又は信号品質計測に少なくとも部分的に基づいて選択すること、を含んでいてもよい。選択されたセルは、第１のセル（例えば、第１のセルが適切なサービスを提供する可能性が最も高いと判断された場合）又は別のセル（例えば、別のセルが適切なサービスを提供する可能性が最も高いと判断された場合）であってもよい。
【００２０】
第１及び第２の比較の結果、上記条件のいずれもが満たされない場合、ＵＥデバイスは、第１又は第２のセルの再選択手順を実行せずに、アタッチするための第１のセルを選択することができる。例えば、上記条件のいずれもが満たされない場合、（例えば、第１及び第２の信号強度並びに信号品質閾値の構成のされ方によっては）、第１のセルが適切なサービスを提供する可能性があり、別の近隣のセルが第１のセルよりも著しく優れたサービスを提供できる可能性はほとんどないことを示すことができる。
【００２１】
あるいは、ＵＥデバイスは、第１の比較のみ又は第２の比較のみを実行してもよく、セルの再選択手順を実行するための関連した条件が満たされない場合、ＵＥデバイスは、関連する（例えば、第１又は第２の）セルの再選択手順を実行せずに、アタッチするための第１のセルを選択することができる。
【００２２】
再びアタッチするためのセルを（例えば、信号強度計測／信号品質計測の１つ以上、閾値比較、及び／又はセルの再選択手順に基づいて）選択した後、ＵＥデバイスは、選択されたセルにアタッチすることができる。
【００２３】
いくつかの状況下においては（例えば、第１のセルラー通信プロトコルに従って動作しているセルのいずれもが、適切なサービスを提供しないであろう場合）、選択されたセルは他のセルラー通信プロトコルに従って動作してもよいことに留意されたい。例えば、選択されたセルは、無線間アクセス技術（ＩＲＡＴ）手順を介して、第１のセルラー通信プロトコルに従った無線デバイスの動作と互換性のあるセルラー通信プロトコルに従って動作することができる。例えば、第１のセルラー通信プロトコルに従って動作しているＵＥは、「ＩＲＡＴトンネル」を介して、異なるが互換性のあるセルラー通信プロトコルに従って動作する選択されたセルにアタッチされてもよい。
【００２４】
第２のセルラー通信プロトコルは、互換性のあるＩＲＡＴセルラープロトコルに関連している可能性もあることに留意されたい。例えば、第２のセルラー通信プロトコルは１×ＲＴＴでありながら、互換性のあるＩＲＡＴセルラープロトコルはｅＨＲＰＤであってもよい。したがって、それらはセルラー通信プロトコルのＣＤＭＡ２０００ファミリーのメンバーとして関連している可能性がある。あるいは、それらは関連性のないセルラー通信プロトコルであってもよい。
【００２５】
アタッチするためのセルを選択した後、ＵＥデバイスは選択されたセルにアタッチ（キャンプオン）し、第１のセルラー通信プロトコルに従う動作を再開することができる。これは、第２の時点において中断された任意のプロトコルスタック手順を再開すること及び／又は共有無線機を使用して第１のセルラー通信プロトコルに従って新しい手順を開始することを含んでいてもよい。
【図面の簡単な説明】
【００２６】
好適な実施形態の以下の詳細な説明を以下の図面と併せて考慮すると、本発明の主題をより理解することができる。図面とは、下記の通りである。
【００２７】
【図１】一実施形態に係る、例示的な（及び簡略化された）無線通信システムを示す図である。
【００２８】
【図２】一実施形態に係る、ユーザ機器と通信している基地局を示す図である。
【００２９】
【図３】一実施形態に係る、ユーザ機器デバイスの例示的なブロック図である。
【００３０】
【図４Ａ】一実施形態に係る、ユーザ機器デバイスにおけるセルの再選択の方法の実施形態を示すフローチャート図である。
【図４Ｂ】一実施形態に係る、ユーザ機器デバイスにおけるセルの再選択の方法の実施形態を示すフローチャート図である。
【００３１】
【図５】図４Ａ−４Ｂの方法の一部の例示的なユースケースの実現を示すフローチャート図である。
【００３２】
本明細書中に記載される特徴は種々の変更及び代替形態を受けるが、その特定の実施形態が例として図面に示され、本明細書において詳細に説明される。しかし、図面及びそれらに対する詳細な説明は、開示されている特定の形態に限定されることを意図しているのではなく、逆に、その意図は、添付の請求項によって定義されているとおりの主題の趣旨及び範囲内に入る全ての変更、均等事項及び代替事項を範囲に含むことであることを理解されたい。
【発明を実施するための形態】
【００３３】
略語
本特許出願では、以下の略語が使用される。
【００３４】
３ＧＰＰ：第３世代パートナーシッププロジェクト（Third Generation Partnership Project）
【００３５】
３ＧＰＰ２：第３世代パートナーシッププロジェクト２（Third Generation Partnership Project 2）
【００３６】
ＧＳＭ（登録商標）：移動通信用のグローバルシステム
【００３７】
ＵＭＴＳ：ユニバーサル移動体通信システム
【００３８】
ＬＴＥ：ロングタームエボリューション
用語
【００３９】
以下は、本出願において用いられている用語集である。
【００４０】
メモリ媒体−様々な種類のメモリデバイス又は記憶デバイスの任意のもの。用語「メモリ媒体」は、インストール媒体、例えば、ＣＤ−ＲＯＭ、フロッピー（登録商標）ディスク、又はテープデバイス；ＤＲＡＭ、ＤＤＲ  ＲＡＭ、ＳＲＡＭ、ＥＤＯ  ＲＡＭ、ラムバスＲＡＭ等のコンピュータシステムメモリ又はランダムアクセスメモリ；フラッシュ、磁気メディア等の不揮発性メモリ、例えば、ハードドライブ、又は光記憶装置；レジスタ、又はその他の同様の種類のメモリ要素等を含むことが意図されている。メモリ媒体は、他の種類のメモリを含んでもよく、それらの組み合わせを含んでもよい。加えて、メモリ媒体は、プログラムが実行される第１のコンピュータシステム内に配置されてもよく、又はインターネット等のネットワークを通じて第１のコンピュータシステムに接続する第２の別のコンピュータシステム内に配置されてもよい。後者の例では、第２のコンピュータシステムは実行用にプログラム命令を第１のコンピュータシステムに提供してもよい。用語「メモリ媒体」は、異なる場所、例えば、ネットワークを通じて接続された異なるコンピュータシステム内に存在し得る、２つ以上のメモリ媒体を含んでもよい。メモリ媒体は、１つ以上のプロセッサによって実行され得るプログラム命令（例えば、コンピュータプログラムとして具現化された）を記憶することができる。
【００４１】
キャリア媒体−上述したようなメモリ媒体、並びにバス、ネットワーク等の物理的伝送媒体、及び／又は電気的信号、電磁気的信号、又はデジタル信号等の信号を伝達するその他の物理的伝送媒体。
【００４２】
プログラム可能ハードウェア要素−プログラム可能インターコネクトを介して接続される複数のプログラム可能機能ブロックを含む種々のハードウェアデバイスを含む。例としては、ＦＰＧＡ（フィールドプログラマブルゲートアレイ）、ＰＬＤ（プログラム可能論理デバイス）、ＦＰＯＡ（フィールドプログラマブルオブジェクトアレイ）、及びＣＰＬＤ（複合ＰＬＤ）が挙げられる。プログラム可能機能ブロックは、細かい粒度のもの（組み合わせ論理又はルックアップテーブル）から粗い粒度のもの（算術論理演算装置又はプロセッサコア）にまで及んでよい。プログラム可能ハードウェア要素は「再構成可能論理」と呼ばれてもよい。
【００４３】
コンピュータシステム−パーソナルコンピュータシステム（ＰＣ）、メインフレームコンピュータシステム、ワークステーション、ネットワーク装置、インターネット装置、無線携帯情報端末（ＰＤＡ）、パーソナル通信デバイス、スマートフォン、テレビシステム、グリッドコンピューティングシステム、又はその他のデバイス、あるいはデバイスの組み合わせを含む、様々な種類のコンピューティング又は処理システムの任意のもの。一般的に、用語「コンピュータシステム」は、メモリ媒体からの命令を実行する少なくとも１つのプロセッサを有するあらゆるデバイス（又はデバイスの組み合わせ）を包含するように広義に定義することができる。
【００４４】
ユーザ機器（ＵＥ）（又は「ＵＥデバイス」）−移動式又は携帯式であり、無線通信を実行する様々な種類のコンピュータシステムデバイスの任意のもの。ＵＥデバイスの例として、携帯電話又はスマートフォン（例えば、ｉＰｈｏｎｅ（登録商標）、Ａｎｄｒｏｉｄ（登録商標）ベースの電話）、携帯型ゲームデバイス（例えば、ニンテンドーＤＳ（登録商標）、プレイステーション（登録商標）ポータブル、ゲームボーイアドバンス（登録商標）、ｉＰｈｏｎｅ（登録商標））、ラップトップ、ＰＤＡ、携帯型インターネットデバイス、音楽プレイヤー、データ記憶デバイス、又は他のハンドヘルドデバイス等を含む。一般的に、用語「ＵＥ」又は「ＵＥデバイス」は、ユーザによって容易に輸送され、無線通信可能な任意の電子、コンピューティング、及び／又は電気通信デバイス（又はデバイスの組み合わせ）を包含するよう広義に定義することができる。
【００４５】
基地局−用語「基地局」は、その通常の意味の全容を有し、かつ、固定位置に設置され、無線電話システム又は無線システムの一部として通信するために使用される、無線通信局を少なくとも含む。
【００４６】
自動的に−アクション又は動作を直接指定又は実行するユーザ入力を用いることなく、コンピュータシステム（例えば、コンピュータシステムによって実行されるソフトウェア）又はデバイス（例えば、電気回路、プログラム可能ハードウェア要素、ＡＳＩＣ等）によって実行されるアクション又は動作に言及する。それゆえ、用語「自動的に」は、動作を直接実行するためにユーザが入力を提供する、ユーザによって手作業で実行又は指定される操作とは対照的である。自動手順は、ユーザによって提供される入力によって開始されてもよいが、「自動的に」実行される後続のアクションはユーザによって指定されない、すなわち、実行するべきそれぞれのアクションをユーザが指定する、「手作業」では実行されない。例えば、ユーザが、それぞれのフィールドを選択し、（例えば、情報を打ち込むこと、チェックボックス、無線選択を選択すること等によって）情報を指定する入力を提供することによって電子フォームに記入することは、たとえ、コンピュータシステムはユーザアクションに応答してフォームを更新しなければならないとはいえ、手作業でフォームに記入することである。コンピュータシステム（例えば、コンピュータシステム上で実行するソフトウェア）がフォームのフィールドを分析し、フィールドへの答えを指定するユーザ入力を全く用いずにフォームに書き込む場合、フォームはコンピュータシステムによって自動的に記入され得る。上述のように、ユーザはフォームの自動記入を呼び出してもよいが、フォームの実際の記入には関わらない（例えば、ユーザはフィールドへの答えを手作業で指定せず、代わりにそれらは自動的に埋められる）。本明細書は、ユーザが取ったアクションに応答して動作が自動的に実行される種々の例を提供する。
図１−２−通信システム
【００４７】
図１は、例示的な（また簡略化された）無線通信システムを示している。図１のシステムはあり得るシステムの単なる一例にすぎず、実施形態は必要に応じて様々なシステムの任意のものにおいて実行されてよいことに留意されたい。
【００４８】
図示のように、例示的な無線通信システムは、伝送媒体を介して１つ以上のユーザデバイス１０６−１〜１０６−Ｎと通信する基地局１０２を含む。本明細書では、ユーザデバイスの各々を「ユーザ機器」（ＵＥ）と呼ぶあることがある。したがって、ユーザデバイスは、ＵＥ又はＵＥデバイスと呼ばれる。
【００４９】
基地局１０２は、無線基地局装置（ＢＴＳ）又はセルサイトであり得、ユーザデバイス１０６−１〜１０６−Ｎとの無線通信を可能にするハードウェアを備える。基地局１０２は、ネットワーク１００と通信する能力を備えていてもよい。したがって、基地局１０２は、ユーザデバイス間の通信、及び／又はユーザデバイスとネットワーク１００との間の通信を容易にすることができる。
【００５０】
基地局１０２及びユーザデバイスは、ＧＳＭ（登録商標）、ＣＤＭＡ、ＷＬＬ、ＷＡＮ、ＷｉＦｉ、ＷｉＭＡＸ等のような種々の無線通信技術又は電気通信規格のいずれかを使用して伝送媒体を通じて通信するように構成されてもよい。
【００５１】
ＵＥ１０６は、複数の無線通信規格を用いて通信することが可能であり得る。例えば、ＵＥ１０６は、３ＧＰＰセルラー通信規格（ＬＴＥ等の）又は３ＧＰＰ２セルラー通信規格（セルラー通信規格のＣＤＭＡ２０００ファミリーにおいてのセルラー通信規格等の）のいずれかを使用して通信するように構成され得る。したがって、いくつかの実施形態において、ＵＥ１０６は、第１のセルラー通信規格（例えば、ＬＴＥ）に従って基地局１０２と通信するように構成されてもよく、第２のセルラー通信規格（例えば、１つ以上のＣＤＭＡ２０００セルラー通信規格）に従って他の基地局と通信するように構成されてもよい。同一の又は異なるセルラー通信規格に従って動作する基地局１０２及び他の同様の基地局は、したがって、１つ以上のセルラー通信規格を介して、広い地理的エリアにわたってＵＥ１０６及び同様のデバイスに連続性のある又はほぼ連続性のある重複するサービスを提供することができる、セルのネットワークとして提供されてもよい。
【００５２】
ＵＥ１０６はまた、あるいは代替的に、ＷＬＡＮ、Ｂｌｕｅｔｏｏｔｈ（登録商標）、１つ以上のグローバルナビゲーション衛星システム（ＧＮＳＳ、例えばＧＰＳ又はＧＬＯＮＡＳＳ）、並びに１つ及び／又は複数のモバイルテレビ放送規格（例えば、ＡＴＳＣ−Ｍ／Ｈ又はＤＶＢ−Ｈ）等を使用して通信するように構成され得る。（３つ以上の無線通信規格を含む）無線通信規格の他の組み合わせも可能である。
【００５３】
図２は、基地局１０２と通信するユーザ機器１０６（例えば、デバイス１０６−１〜１０６−Ｎのうちの１つ）を示している。ＵＥ１０６は、モバイル電話、ハンドヘルドデバイス、コンピュータ又はタブレット等の無線ネットワーク接続性を有するデバイス、あるいは実質上あらゆる種類の無線デバイスであってよい。
【００５４】
ＵＥは、メモリ内に記憶されたプログラム命令を実行するように構成されたプロセッサを含んでもよい。ＵＥは、このような記憶された命令を実行することによって本明細書に記載されている方法実施形態のうちの任意のものを実行してもよい。ＵＥはまた、あるいは代替的に、本明細書に記載されている方法実施形態のうちの任意のもの、又は本明細書に記載されている方法実施形態のうちの任意のものの任意の部分を実行するように構成されたＦＰＧＡ（フィールドプログラマブルゲートアレイ）等のプログラム可能なハードウェア要素を含んでもよい。
【００５５】
ＵＥ１０６は、複数の無線通信プロトコルのいずれかを使用して通信するように構成されてもよい。例えば、ＵＥ１０６は、ＣＤＭＡ２０００、ＬＴＥ、ＷＬＡＮ、又はＧＮＳＳのうちの２つ以上を使用して通信するように構成されてもよい。無線通信規格の他の組み合わせも可能である。
【００５６】
ＵＥ１０６は、１つ以上の無線通信プロトコルを用いて通信するための１つ以上のアンテナを含んでもよい。ＵＥ１０６は、複数の無線通信規格の間での受信及び／又は送信チェーンの１つ以上の部分を共有することができる。例えば、ＵＥ１０６は、ＣＤＭＡ２０００（１×ＲＴＴ／１×ＥＶ−ＤＯ）又は単一の共有無線機を使用するＬＴＥのいずれかを使用して通信するように構成され得る。共有無線機は、無線通信を行うための単一のアンテナを含んでもよく、又は複数のアンテナ（例えば、ＭＩＭＯ用）を含んでもよい。代替的に、ＵＥ１０６は、ＵＥ１０６と通信するように構成されている各無線通信プロトコル用に別個の送信及び／又は受信チェーン（例えば、別個のアンテナ及び他の無線機コンポーネントを含む）を含んでもよい。更なる可能性として、ＵＥ１０６は、複数の無線通信プロトコルの間で共有される１つ以上の無線機を含んでいてもよく、単一の無線通信プロトコルによって独占的に使用される１つ以上の無線機を含んでいてもよい。例えば、ＵＥ１０６は、ＬＴＥ又は１×ＲＴＴのいずれかを使用して通信するための共有無線機を含んでもよく、Ｗｉ−Ｆｉ及びＢｌｕｅｔｏｏｔｈ（登録商標）のそれぞれを使用して通信するための別個の無線機を含んでもよい。他の構成も可能である。
図３−ＵＥの例示的なブロック図
【００５７】
図３は、ＵＥ１０６の例示的なブロック図を示している。図示の通り、ＵＥ１０６は、種々の目的のための部分を含んでもよい、システムオンチップ（ＳＯＣ）３００を含んでもよい。例えば、図示のとおり、ＳＯＣ３００は、ＵＥ１０６のためのプログラム命令を実行し得るプロセッサ（複数可）３０２と、グラフィック処理を実行し、ディスプレイ３４０に表示信号を提供することができる、表示回路３０４とを含んでよい。プロセッサ（複数可）３０２はメモリ管理ユニット（ＭＭＵ）３４０に結合されてもよく、ＭＭＵ３４０は、プロセッサ（複数可）３０２からアドレスを受信し、それらのアドレスを、メモリ（例えば、メモリ３０６、読み出し専用メモリ（ＲＯＭ）３５０、ＮＡＮＤフラッシュメモリ３１０）内の位置に変換し、並びに／又は表示回路３０４、無線３３０、コネクタＩ／Ｆ３２０、及び／若しくはディスプレイ３４０等の、その他の回路又はデバイスに変換するように構成されてよい。ＭＭＵ３４０は、メモリ保護及びページテーブル変換又はセットアップを実行するように構成されてもよい。実施形態によっては、ＭＭＵ３４０はプロセッサ（複数可）３０２の一部として含まれてもよい。
【００５８】
図示の実施形態では、ＲＯＭ３５０は、起動又は初期化時にプロセッサ（複数可）３０２によって実行され得るブートローダを含んでもよい。同様に図示されている通り、ＳＯＣ３００はＵＥ１０６の種々の他の回路に結合されてもよい。例えば、ＵＥ１０６は、（例えば、ＮＡＮＤフラッシュ３１０を含む）種々のタイプのメモリ、（例えば、コンピュータシステムに結合するための）コネクタインタフェース３２０、ディスプレイ３４０、及び（例えば、ＬＴＥ、ＣＤＭＡ２０００、Ｂｌｕｅｔｏｏｔｈ（登録商標）、ＷｉＦｉ等のための）無線通信回路を含み得る。
【００５９】
ＵＥデバイス１０６は、基地局及び／又は他のデバイスと無線通信を行うための少なくとも１つのアンテナそして場合によっては複数のアンテナを含んでいてもよい。例えば、ＵＥデバイス１０６は、アンテナ３３５を使用して無線通信を実行してもよい。上述したように、ＵＥは、複数の無線通信規格を使用して無線で通信するように構成することができる。
【００６０】
本明細書に記載するように、ＵＥ１０６は、本開示の実施形態に係るセルを再選択するための方法を実行するためのハードウェア及びソフトウェアコンポーネントを含むことができる。図４及びこれに関して提供される記述は、そのような方法に関連する。
【００６１】
ＵＥデバイス１０６のプロセッサ３０２は、例えば、メモリ媒体（例えば、永続的コンピュータ可読メモリ媒体）に記憶されたプログラム命令を実行することによって、本明細書に記載される方法の一部又は全部を実行するように構成され得る。他の実施形態では、プロセッサ３０２は、ＦＰＧＡ（フィールドプログラマブルゲートアレイ）等のプログラム可能なハードウェア要素として、又はＡＳＩＣ（特定用途向け集積回路）として構成され得る。
図４Ａ及び４Ｂ−フローチャート
【００６２】
図４Ａ及び４Ｂは一連の実施形態に係る、デバイスが１つのセルを再選択する方法を示すフローチャート図である。この方法は、無線ＵＥデバイス（ＵＥ１０６等）により実行可能で、その無線ＵＥデバイスは複数のセルラー通信プロトコル（例えば、複数の無線アクセス技術（ＲＡＴ））を使用して通信するように構成することができる。
【００６３】
このＵＥは、共有無線機を使った複数のセルラー通信プロトコルを使用して通信するよう構成することができる。例えば、１つ以上のアンテナ、利得素子、フィルタリング素子、ＡＤＣ及び／又はＤＡＣ等の１つ以上のＲＦシグナリングコンポーネント、及び／又は他のアナログ若しくはデジタル回路を使用して、共有無線機を使った複数のセルラー通信プロトコルのうちのいずれかに従いＵＥによる無線通信を行うことができる。ここで、共有されるとみなされる無線機のセルラー通信プロトコルが、ＲＦコンポーネントすべてを共有する必要はない場合があることに留意されたい。任意の時点で、１つの無線機を共有する複数のセルラー通信プロトコルのうちの１つだけが動作する場合もある。
【００６４】
１つの無線機を２つ（又はそれより多く）のセルラー通信プロトコルで共有することは、可能性のある数ある利点のうち、ＵＥデバイスのエネルギー効率、製造コスト、及びフォームファクタといった点で有利となり得る。もしその通信プロトコルが、両方の通信プロトコルを同時に使用して動作することについてほとんど又は全く利点がないような実質的に同様の機能を無線デバイスに与えるならば、１つの無線機を両方の通信プロトコルで共有することについて、機能的にほとんど又は全く不利な点がない。例えば、セルラー通信プロトコルの１つが、ＬＴＥ等の第４世代のＲＡＴであり、他方がＣＤＭＡ２０００等の第３世代のＲＡＴである場合、両方のセルラー通信プロトコルは、たとえ異なるスループット、レイテンシ、信頼性等であっても、電気通信、ＳＭＳ、及びデータ（例えば、インターネットアクセス）接続を提供することができる。したがって、例えば、より高い及び／又はより高品質のサービスエリアを提供するために、ＬＴＥ又はＣＤＭＡ２０００のいずれか（又はセルラー通信プロトコルの別の組み合わせ）に従い動作する機能を持つＵＥを提供することが望まれるが、両方のプロトコルが同時に動作することには顕著な利点がない可能性がある。
【００６５】
セルラー通信プロトコル間の無線機コンポーネントの共有する性質についての考慮は、それぞれのセルラー通信プロトコルに従うＵＥの動作を制御するためのメカニズムを設計するのに有効かつ必要となり得る。例えば、考慮するに値するそのような側面には、往復して制御を渡す技術の決定や、それぞれのセルラー通信プロトコルに従った動作の適切な時間での開始及び停止、並びにそれぞれのセルラー通信プロトコルが動作する適切な時間の決定が挙げられる。
【００６６】
考慮するに値するセルラー通信プロトコル間での共有無線の使用の１つの特定の側面は、他のセルラー通信プロトコルから制御が渡された後、１つのセルラー通信プロトコルに従う動作を再開することに関連している。他のセルラー通信プロトコルに従った無線機の使用の間に経過する時間を考慮すると、その間に、元のサービングセルの信号の強度／品質が大幅に低下し、及び／又は別のセルの信号の強度／品質が大幅に向上する可能性は高い（例えば、ＵＥが元のサービングセルから離れて１つ以上の別のセルに向かって移動する場合）。このように、元のサービングセルで自動的に動作を再開しようとすると、サービスの実現及び／又は以前に開始した手順の再開が遅れる場合がある。ただし、元のサービングセルが依然最適なオプションであることもしばしあり得る（例えば、ＵＥが実質的に静止したままである場合）。そのため、セルラー通信プロトコルが無線機の制御を再取得する都度、近隣のセルのフルスキャンを自動的に行うことは、時間とエネルギーの無駄となる可能性があり、ユーザ体験及びバッテリ寿命に悪影響を与えかねない。
【００６７】
別の選択肢には、元のサービングセルが適切なサービスを提供するであろうかどうか、及び／又はより良いサービスを提供するであろう別のセルが使用可能かどうかの予備テストとして、元のサービングセルの１つ以上の信号強度及び／又は信号品質メトリックを計測することを含むことができる。そのような比較的基本的な計測に基づき、ＵＥデバイスは、元のサービングセルが適切なサービスを提供し続けられそうであるか、又は新たなサービングセルの探索を試みるため、セルの再選択手順を行うべきかを判断することができる。そのような方法により、元のサービングセルで動作再開の試みを常に行ったり、又はセルの再選択の全ての手順を常に行ったりするのに比べて、全体的により良いパフォーマンスを提供できる可能性がある。
【００６８】
図４Ａ及び４Ｂはそのような１つの方法を示している。図４Ａ及び４Ｂで示す方法は、他のデバイスのうち、図４Ａ及び４Ｂに示すシステム又はデバイスのいずれかと共に使用することができる。種々の実施形態において、図示の方法要素の一部は、同時に実行されてもよく、図示のものとは異なる順序で実行されてもよく、又は省略されてもよい。ここで、追加の方法の要素を、必要に応じて行ってもよいことに留意されたい。
【００６９】
４０２において、ＵＥデバイスは、第１の時点において第１のセルラー通信プロトコルに従って動作することができる。第１の時点において第１のセルラー通信プロトコルに従って動作することは、第１のセルにアタッチすること又は少なくとも第１のセルと通信することを含んでもよい。第１のセルは、第１のセルラー通信プロトコルに従って動作してもよい。
【００７０】
ＵＥデバイスは、第１のセルラー通信プロトコルに従って動作しながら、共有無線機を制御するように構成された第１のプロトコルスタックを含んでもよい。第１のセルラー通信プロトコルに従って動作することは、適宜第１のプロトコルスタックの様々な層における任意の数の手順を実行することを含んでもよく、その手順のいくつか又はすべては、第１のセルを介して第１のネットワークと通信することを含むことができる。
【００７１】
４０４において、ＵＥデバイスは、第２の時点において第２のセルラー通信プロトコルに従って動作することができる。第２の時点において第２のセルラー通信プロトコルに従って動作することは、第２のセルにアタッチすること又は少なくとも第２のセルと通信することを含んでもよい。第２のセルは、第２のセルラー通信プロトコルに従って動作してもよい。
【００７２】
ＵＥデバイスは、第２のセルラー通信プロトコルに従って動作しながら、共有無線機を制御するように構成された第２のプロトコルスタックを含んでもよい。第２のセルラー通信プロトコルに従って動作することは、適宜第２のプロトコルスタックの様々な層における任意の数の手順を実行することを含んでもよく、その手順のいくつか又はすべては、第２のセルを介して第２のネットワークと通信することを含むことができる。いくつかの実施形態において、第１及び第２のネットワークは同じネットワークであってもよく、通信可能に互いに結合されていてもよい。
【００７３】
第１のセルラー通信プロトコルに従った動作は、第２のセルラー通信プロトコルに従った動作中に中断してもよい。したがって、第１の時点において行われる過程にあった１つ以上の手順は、第２の時点において第２のセルラー通信プロトコルに従ってＵＥデバイスが動作するために中断していてもよい。第２のセルラー通信プロトコルに従った動作は、同様に、第１のセルラー通信プロトコルに従った動作中に中断してもよいことに留意されたい。
【００７４】
第１及び第２のセルラー通信プロトコルは、異なる世代のセルラー通信プロトコルの場合がある。例えば、第１のセルラー通信プロトコルは第４世代（４Ｇ）であってもよく、第２のセルラー通信プロトコルは第３世代（３Ｇ）であってもよい。このように、一般的に、第１のセルラー通信プロトコルは第２のセルラー通信プロトコルに比べて、同様の信号強度の場合、より高いスループット、より低いレイテンシ等を提供し得る。したがって、ＵＥデバイスは第１のセルラー通信プロトコルに従って動作するように構成するのが望ましく、ＵＥデバイスが第２の無線通信プロトコルに従い動作するのは、第２のセルラー通信プロトコルに従いＵＥデバイスのために伝送されるページ若しくは他のメッセージを監視する場合、又は第１のセルラー通信プロトコルに従うと不適切なサービス（例えば、信号強度）しか使用できないときのバックアップの場合のみが望ましい。あるいは、第１及び第２のセルラー通信プロトコルが同様の特徴（例えば、スループット、レイテンシ、信頼性、使用可能性等）を有する場合がある。この場合、必要に応じて、一方のセルラー通信プロトコルを第１次的に使用し、他方を第２次的に使用するか、又は両方に同等の優先度を与えても良い。
【００７５】
４０６において、ＵＥデバイスは第１のセルラー通信プロトコルに従う動作の再開を試みてもよい。第１のセルラー通信プロトコルに従う動作の再開を試みることには、図４Ｂに示すように、ステップ４０８から４１２まで複数のステップが含まれる場合がある。
【００７６】
４０８において、第１のセルの信号強度及び／又は信号品質を計測することができる。第１のセルの信号強度及び信号品質の計測には、１つ以上の信号強度及び／又は信号品質メトリクスを使用する場合がある。例えば、信号強度メトリクスとして、（例えば、ＬＴＥに対する）基準信号受信電力（ＲＳＲＰ）若しくは（例えば、ｅＨＲＰＤに対する）Ｅｃ／Ｉｏ等が使用でき、及び／又は信号品質メトリクスとして、（例えば、ＬＴＥに対する）基準信号受信品質（ＲＳＲＱ）等が使用できる。他の信号強度及び／又は信号品質メトリクスを必要に応じて使用してもよい。
【００７７】
４１０において、第１のセルの信号強度及び／又は信号品質と、１つ以上の閾値との比較を１つ以上行うことができる。計測された信号強度及び／又は信号品質を、１つ以上の閾値と比較することで、第１のセルが適切なサービスを提供できる可能性があるであろうか否か、及び／又は第１のセルよりも著しく優れた信号強度を有する近隣のセルが高い確率で存在し得るか否かを判断することができる。
【００７８】
例えば、第１の比較は、第１のセルの信号強度と第１の信号強度閾値とを比較すること、及び第１のセルの信号品質と第１の信号品質閾値とを比較することが含まれてもよい。信号強度が第１の信号強度閾値よりも高く、かつ信号品質が第１の信号品質閾値よりも低い場合、より良いサービスをＵＥデバイスに提供できる可能性がある、より高い信号強度を有する近隣のセルが使用可能である可能性があること示すことができる。
【００７９】
第１の比較の結果、上記条件が満たされない場合、第２の比較が行われてもよい。第２の比較は、第１のセルの信号強度と第２の信号強度閾値とを比較すること、及び第１のセルの信号品質と第２の信号品質閾値とを比較することが含まれてもよい。信号強度が第２の信号強度閾値よりも低く、かつ信号品質が第２の信号品質閾値よりも低い場合、第１のセルが適切なサービスを提供する可能性がほとんどないことを示すことができる。ここで、第１の信号強度閾値は、第２の信号強度閾値より高い可能性があること留意されたい。
【００８０】
４１２において、アタッチするためのセルの選択を行うことができる。アタッチするためのセルの選択は、第１のセルの計測された信号強度及び／又は信号品質、１つ以上の比較、並びに、おそらく、例えば１つ以上の比較の結果による、更なるセルの再選択手順に基づいて行うことができる。
【００８１】
例えば、第１の比較で、第１のセルよりも高い信号強度を有する近隣のセルが使用可能である可能性が示されている場合、ＵＥデバイスは第１のセルの再選択手順を行ってもよい。第１のセルの再選択手順には、第１のセルラー通信プロトコルに従って動作する近隣のセルを探索することを含む場合がある。
【００８２】
そのような任意の使用可能なセルの信号強度及び／又は信号品質の計測が可能であり、アタッチするためのセルを選択することができる。選択されるセルは、少なくとも部分的には信号強度及び／又は信号品質の計測に基づいて選択することができる。例えば、いくつかの実施形態では、隣のセルの最も高い信号強度と、元のセルの信号強度とを比較することができる。隣のセルの信号強度が十分に高い場合（例えば、信号強度差分閾値より高い場合）は、隣のセルを選択することができ、隣のセルの信号強度が十分に高くない場合は、元のサービングセルを選択することができる。代替として、隣のセルの信号強度が、元のセルの信号強度より任意の差で高い場合に、必要に応じて、隣のセルを選択することができる。このように、選択するセルは第１のセルである場合もあるし（例えば、第１のセルが適切なサービスを提供できる可能性が結局最も高いと判断した場合）、又は別のセルである場合もある（例えば、別のセルが適切なサービスを提供できる可能性が最も高いと判断した場合）。
【００８３】
第２の比較が、第１のセルが適切なサービスを提供できる可能性がほとんどないであろうことを示した場合、ＵＥデバイスは第２のセルの再選択手順を行うことができる。第２のセルの再選択手順には、第１のセルラー通信プロトコルに従って動作する近隣のセルと、１つ以上の他のセルラー通信プロトコルで動作するセルとの、両方の探索を含むことができる。例えば、ＵＥデバイスは、第１のセルラー通信プロトコルに従い、互換性のある無線間アクセス技術（ＩＲＡＴ）セルラー通信プロトコルに従って動作するセルにＩＲＡＴ接続して動作するように構成することができる。一例として、第１のセルラー通信プロトコルがＬＴＥである場合、ＵＥデバイスは、ＬＴＥに従い動作しながら、ＩＲＡＴ接続を介してｅＨＲＰＤシステムを探索するよう構成されていてもよい。
【００８４】
そのような任意の使用可能なセルの信号強度及び／又は信号品質の計測が可能であり、アタッチするためのセルを選択することができる。選択されるセルは、少なくとも部分的には信号強度及び／又は信号品質の計測に基づいて選択することができる。例えば、第１のセルラー通信規格に従って動作する隣のセルの最も高い信号強度と、元のセルの信号強度とを比較することができる。隣のセルの信号強度が十分に高い場合（例えば、信号強度差分閾値より高い場合）は、隣のセルを選択することができる。隣のセルの信号強度が十分に高くない場合は、別の互換性のあるセルラー通信規格に従って動作する隣のセルの最も高い信号強度と、第３の信号強度閾値（例えば、当該のセルラー通信規格に特有の信号強度閾値）とを比較することができる。隣のセルの信号強度が第３の信号強度閾値より高い場合、隣のセルを選択することができる。そうでない場合は、元のサービングセルを選択することができる。
【００８５】
このように、選択されたセルは、第１のセル（例えば、第１のセルが適切なサービスを提供する可能性が最も高いと判断された場合）又は別のセル（例えば、別のセルが適切なサービスを提供する可能性が最も高いと判断された場合）であってもよい。
【００８６】
ここで、ＩＲＡＴ対応のセルラー通信規格は、いくつかの場合には第２のセルラー通信規格に関連している可能性があることに留意されたい。例えば、そのＩＲＡＴ対応のセルラー通信規格はｅＨＲＰＤであり、一方、第２のセルラー通信規格は１×ＲＴＴである場合は、セルラー通信規格のＣＤＭＡ２０００ファミリーのメンバーとして関連する。したがって、互換性のあるセルラー通信規格に従い動作する隣のセルは、第２のセルであり得る（例えば、第２のセルが１×ＲＴＴ及びｅＨＲＰＤサービスを提供することができる）。そのような場合、ＵＥデバイスは第２のセルの信号強度及び／又は信号品質の計測を最近行っているかもしれず（例えば、第３の時点が第２の時点の直後である場合）、今度は、例えば前述のような、第２のセルの再選択手順の一部として、有利に使用され得る。更にここで、前述の第１及び第２のセルの再選択手順は、そのようなセルの再選択手順における２つの可能性であるが、他のいずれの数の選択手順も、記述された手順に代わり、若しくは追加して、使用され得ることに留意されたい。
【００８７】
第１及び第２の比較の結果、上記条件のいずれもが満たされない場合、ＵＥデバイスは、第１又は第２のセルの再選択手順を実行せずに、アタッチするための第１のセルを選択することができる。例えば、上記条件のいずれもが満たされない場合、（例えば、第１及び第２の信号強度及び信号品質閾値の構成のされ方によっては）、第１のセルが適切なサービスを提供する可能性があり、別の近隣のセルが第１のセルよりも著しく優れたサービスを提供できる可能性はほとんどないということを示すことができる。
【００８８】
別の可能性として、ＵＥデバイスは、第１の比較のみ又は第２の比較のみを実行してもよく、セルの再選択手順を実行するための関連した条件が満たされない場合、ＵＥデバイスは、関連する（例えば、第１又は第２の）セルの再選択手順を実行せずに、アタッチするための第１のセルを選択することができる。
【００８９】
アタッチ／再アタッチするためのセルを（例えば、信号強度／信号品質の１つ以上の計測、閾値の比較、及び／若しくは前述のセルの再選択手順、並びに／又は他のそのような手順に基づいて）選択した後、ＵＥデバイスは選択したセルにアタッチ（例えばキャンプオン）することができる。その後、ＵＥデバイスは第１のセルラー通信プロトコルに従う動作を再開することができる。これは、第２の時点において中断された任意のプロトコルスタック手順を再開すること及び／又は共有無線機を使用して第１のセルラー通信プロトコルに従って新しい手順を開始することを含んでいてもよい。
【００９０】
ここで、いくつかの条件下では（例えば、第１のセルラー通信プロトコルに従い動作するセルはいずれも適切なサービスを行わないであろう場合）、選択されたセルは、第１のセルラー通信プロトコルでないセルラー通信プロトコル（例えば、第３のセルラー通信プロトコル）に従って動作する場合があることに留意されたい。この場合、ＵＥデバイスは依然として第１のセルラー通信プロトコルに従い動作するかもしれないが、選択したセルへのアタッチ／通信を行うためにＩＲＡＴ接続を利用することができる。これにより、このデバイスは、純粋に第１のセルラー通信プロトコルに従い動作する場合と同様の機能（例えば、電気通信、ＳＭＳ、データサービス等）を提供することが可能となり得る。
図５−例示的なユースケース
【００９１】
図５は、図４Ａ及び４Ｂの方法の例示的なユースケースの実現を示すフローチャート図である。これより以下に示すユースケース例の詳細は、あくまでも例として提示するものであり、開示を全体として限定するためのものではない。当業者により、この例示的なユースケースの詳細の多数の変形及び代用形が可能であると理解され、本開示の範囲内であるとみなされるべきである。
【００９２】
ＵＥデバイスは、第１のセルラー通信プロトコルとしてＬＴＥを、及び第２のセルラー通信プロトコルとして１×ＲＴＴを実行することができる。この場合、主にはＬＴＥに従って動作し、例えば、ページングメッセージをチェックしたり、ＬＴＥサービスが使用できない場合等、周期的にのみ１×ＲＴＴに従い動作するのが望ましいと一般的にはみなされる。
【００９３】
このように、ＵＥデバイスはほとんどの場合ＬＴＥに従い動作するが、周期的には１×ＲＴＴページをモニタするために無線機を１×ＲＴＴに「チューンアウェイ」する場合がある。例えば、ＵＥデバイスは１×ＲＴＴページのモニタのため、例えば、１×ＲＴＴシステムのページング周期に従い、５．１２秒毎、２．５６秒毎、１．２８秒毎、又は他の１．２８秒の倍数で１×ＲＴＴに「チューンアウェイ」してもよい。
【００９４】
ＵＥデバイスの無線が１×ＲＴＴページングメッセージのモニタ（及びおそらくデコード及びそれに基づいた動作）のために「チューンアウェイ」する間、ＬＴＥプロトコルスタックは中断する場合がある。したがって、無線リソース制御（ＲＲＣ）、層１（Ｌ１）等の進行中のＬＴＥ手順は、ＬＴＥのプロトコルスタックが中断している間は中断若しくは停止される可能性があり、再開した際（例えば、ＵＥデバイスが、いずれかのページングメッセージのデコードを終了した後等）に再開又は再び開始される可能性がある。
【００９５】
ＵＥデバイスが元のＬＴＥサービングセルから「チューンアウェイ」している間、その元のセルは弱くなっている一方、１つ以上の他の（ＬＴＥ若しくは互換性のあるインターＲＡＴ）セルは強くなっている場合がある。これはいくつかのシナリオ、例えばＵＥデバイスのユーザが、高速道路や列車で、元のセルと新しいセルによるカバレージが重複するエリア内で移動している場合等では、比較的普通のことである。
【００９６】
そのようなシナリオにおいて、仮にＵＥデバイスが「チューンアウェイ」の前にアタッチされたのと同じサービングセルを使用し自動的に再開し、かつ上位層の手順（チューンアウェイ中に停止されていたかもしれない等）を起動しようと試みるなら、顕著なアクセス性の遅延を引き起こす結果となり、ユーザに認知される場合がある。例えば、もしデバイスが非アクセス層（ＮＡＳ）サービスリクエストに応じてランダムアクセスチャネル（ＲＡＣＨ）手順を起動しようとするなら、ＵＥデバイスはＲＡＣＨメッセージを送信することはできるが、新しいセルの高い干渉のためにレスポンスのデコード（例えば、ＭＳＧ２）ができない場合がある。一連の実施形態において、ＲＡＣＨの最大許容数又はＴ３００タイマーによるが、ＵＥはＲＡＣＨを６４回も行うかもしれない。上述のように、これはサービスの遅延を起こす結果となる可能性があり、ユーザはこれに気付く。
【００９７】
このシナリオを避けるために、図５のフローチャートに示す１つの可能なプロセスとして、ＵＥデバイスがアタッチするための元のセルを使い続けるか、それとも新しいセルを選択するかを、インテリジェントに判断することができる。この方法は、５０２でＬＴＥプロトコルスタックにチューンバックした際に開始することができる。
【００９８】
ＵＥデバイスは元のサービングセルの基準信号受信電力（ＲＳＲＰ）及び基準信号受信品質（ＲＳＲＱ）（例えば、信号強度と信号品質をそれぞれ示すメトリクスとして）を計測することができる。５０４で、第１の比較を行うことができる。
【００９９】
第１の比較には、元のサービングセルのＲＳＲＰと第１のＲＳＲＰ閾値との比較、及び元のサービングセルのＲＳＲＱと第１のＲＳＲＱ閾値との比較を含む場合がある。元のサービングセルのＲＳＲＰが第１のＲＳＲＰ閾値より高く、かつ元のサービングセルのＲＳＲＱが第１のＲＳＲＱ閾値より低い場合、強力な隣りのセルが使用可能である確率が高いことを示している場合がある。例えば、比較的高いＲＳＲＰと比較的低いＲＳＲＱの組み合わせは、元のサービングセルの信号強度がたとえ適切であったとしても、おそらくより強い隣のセルの干渉のために、信号品質は不良であることを示している可能性がある。第１のＲＳＲＰ閾値及び第１のＲＳＲＱ閾値は、システム全体の構成に従い、必要に応じて選択できることに留意されたい。いくつかの可能な閾値の例としては、第１のＲＳＲＰ閾値に−１００（又は−１０１、−１０２、−９９等）ｄＢｍが、第１のＲＳＲＱ閾値に−１０（又は−１１、−１２等）ｄＢｍが挙げられる。
【０１００】
この場合、方法は、ステップ５０６に進み、ＵＥデバイスは上位層の手順及び送信活動（例えば、物理ランダムアクセスチャネル（ＰＲＡＣＨ）、物理上り共有チャネル（ＰＵＳＣＨ）、物理上り制御チャネル（ＰＵＣＣＨ））を中断（又は中断を継続）することができ、それからステップ５０８に進み、ＵＥデバイスはセルの再選択手順を開始することができる。セルの再選択手順は「パニックの再選択」である可能性がある。再選択には、近隣のＬＴＥセルの探索、理想的には、干渉の原因となっているより強い隣のセルの確定及び選択、並びにそのセルへのアタッチを含む場合がある。
【０１０１】
５１０において、セルの再選択手順は、最上位の隣のＬＴＥセルのＲＳＲＰから元のサービングセルのＲＳＲＰを減じたものと、ＲＳＲＰ差分閾値との比較により開始することができる。
【０１０２】
差異が差分閾値より高い場合は、隣のＬＴＥセルが適切なサービスを提供できることを示す可能性がある。そこでこの場合には、プロセスはステップ５１２に進み、最上位の隣のＬＴＥセルを選択することができる。
【０１０３】
差異が差分閾値より低い場合は、他の近隣のＬＴＥセルは適切なサービスを提供できる可能性がほとんどないことを示している可能性がある。この場合には、プロセスはステップ５１４に進み、元のサービングセルを選択することができる。
【０１０４】
５１２又は５１４のいずれかのステップから、プロセスはステップ５１６に進むことができ、ＵＥデバイスは、前のステップに基づき、隣のセル若しくは元のサービングセルのうち、選択したセルの上位層の手順を再開することができる。
【０１０５】
あるいは、元のサービングセルのＲＳＲＰが第１のＲＳＲＰ閾値より低い、又は元のサービングセルのＲＳＲＱが第１のＲＳＲＱ閾値より高い場合、方法は判定５１８に進み、第２の比較を行うことができる。第２の比較には、元のサービングセルのＲＳＲＰと第２のＲＳＲＰ閾値との比較、及び元のサービングセルのＲＳＲＱと第２のＲＳＲＱ閾値との比較を含む場合がある。
【０１０６】
元のサービングセルのＲＳＲＰが第２のＲＳＲＰ閾値より低く、かつ元のサービングセルのＲＳＲＱが第２のＲＳＲＱ閾値より低い場合、より強いＬＴＥ又は他の使用できる隣のセルがあるかもしれないし、ないかもしれないが、元のサービングセルが適切なサービスを提供できない可能性があることを暗示する場合がある。第２のＲＳＲＰ閾値及び第２のＲＳＲＱ閾値は、システム全体の構成に従い、必要に応じて選択できることに留意されたい。いくつかの可能な閾値の例としては、第２のＲＳＲＰ閾値に−１１０（又はー１１１、−１１２、−１１３等）ｄＢｍが、第２のＲＳＲＱ閾値に−１０（又は−１１、−１２等）ｄＢｍが挙げられる。第１のＲＳＲＰ閾値は典型的に、第２のＲＳＲＰ閾値より高い可能性がある。第１のＲＳＲＱ及び第２のＲＳＲＱ閾値は、いくつかの実施形態では同等であり得るが、必要に応じて異なっていてもよい。
【０１０７】
この場合、方法はステップ５２０に進むことができ、ＵＥデバイスは上位層の手順及び任意の送信活動（例えば、ＰＲＡＣＨ、ＰＵＳＣＨ、ＰＵＣＣＨ）を中断（又は中断を継続）することができ、それからステップ５２２に進み、ＵＥデバイスはセルの再選択手順を開始することができる。セルの再選択手順はまた、「パニックの再選択」である可能性がある。再選択には、ＬＴＥセル及び対互換性のあるインターＲＡＴセル（例えば、ｅＨＲＰＤセル）の両方を含む、近隣のセルの探索を含む場合がある。ＲＳＲＰ（及び／又は、例えばｅＨＲＰＤシステムのＥｃ／Ｉｏ）を、そのような隣りのセルのいずれかに対し計測することができる。
【０１０８】
ステップ５２４において、セルの再選択手順は、最上位の隣のＬＴＥセルのＲＳＲＰから元のサービングセルのＲＳＲＰを減じたものと、ＲＳＲＰ差分閾値とを比較することにより、開始することができる。
【０１０９】
差異が差分閾値より高い場合は、隣のＬＴＥセルが適切なサービスを提供できることを示す可能性がある。そこでこの場合には、プロセスはステップ５２６に進み、最上位の隣のＬＴＥセルを選択することができる。
【０１１０】
差異が差分閾値より低い場合は、近隣のＬＴＥセルは適切なサービスを提供できる可能性がほとんどないことを示している可能性がある。そこでこの場合には、プロセスはステップ５２８に進み、最上位のｅＨＲＰＤセルのＥｃ／ＩｏとＥｃ／Ｉｏ閾値を比較することができる。
【０１１１】
最上位のｅＨＲＰＤセルのＥｃ／ＩｏがＥｃ／Ｉｏ閾値より高い場合、当該のｅＨＲＰＤセルが適切なサービスを提供できることを示す可能性があるため、方法はステップ５３０に進み、そのｅＨＲＰＤセルを選択することができる。
【０１１２】
最上位のｅＨＲＰＤセルのＥｃ／ＩｏがＥｃ／Ｉｏ閾値以下場合、当該のｅＨＲＰＤセルが適切なサービスを提供できないことを示す可能性があるため、方法はステップ５３２に進み、元のセルを選択することができる。
【０１１３】
ステップ５２６、５３０、又は５３２から、方法はステップ５３４に進み、上位層の手順を、元のセルであれ、隣のＬＴＥセルであれ、又は隣のＩＲＡＴセルであれ、選択されたセルに対し再開することができる。
【０１１４】
ここで判定５１８において、もし元のサービングセルのＲＳＲＰが第２のＲＳＲＰ閾値より高い場合、又は元のサービングセルのＲＳＲＱが第２のＲＳＲＱ閾値より高い場合は、元のサービングセルが適切なサービスを提供できることを示す可能性がある。この場合には、方法はステップ５３６に進み、ＵＥデバイスは、例えば、セルの再選択の全ての手順を行うことなく、元のサービングセルを使い続けることができる。
【０１１５】
本開示の実施形態は種々の形態の任意のもので実現されてよい。例えば、実施形態によっては、コンピュータ実施方法、コンピュータ可読メモリ媒体、又はコンピュータシステムとして実現されてもよい。他の実施形態では、ＡＳＩＣ等の１つ以上の特注設計のハードウェアデバイスを用いて実現されてもよい。更に他の実施形態では、ＦＰＧＡ等の１つ以上のプログラム可能ハードウェア要素を用いて実現されてもよい。
【０１１６】
いくつかの実施形態では、コンピュータ可読メモリ媒体は、プログラム命令及び／又はデータを記憶するように構成されてもよく、プログラム命令は、コンピュータシステムによって実行される場合、コンピュータシステムに、本方法を、例えば、本明細書に記載された方法の実施形態のうちのいずれか、又は、本明細書に記載された方法の実施形態の任意の組合せ、又は、本明細書に記載された方法の実施形態のうちのいずれかの任意のサブセット、又は、そのようなサブセットの任意の組合せを実行する。
【０１１７】
いくつかの実施形態では、コンピュータシステムは、プロセッサ（又はプロセッサのセット）とメモリ媒体とを含むように構成されてもよく、メモリ媒体は、プログラム命令を記憶し、プロセッサは、メモリ媒体からプログラム命令を読み出し、それを実行するように構成され、プログラム命令は、本明細書に記載された種々の方法の実施形態（又は、本明細書に記載された方法の実施形態、又は、本明細書に記載された方法の実施形態のうちのいずれかの任意のサブセット、又は、そのようなサブセットの任意の組合せ）のうちのいずれかを実行するように実行可能である。コンピュータシステムは、種々の形態の任意のもので実現され得る。例えば、コンピュータシステムは、（その種々の実現形態のうちのいずれかにおける）パーソナルコンピュータ、ワークステーション、カード上のコンピュータ、ボックス中の特定用途向けコンピュータ、サーバコンピューター、クライアントコンピュータ、ハンドヘルドデバイス、タブレットコンピュータ、ウェアラブルコンピュータ等であり得る。
【０１１８】
上述の実施形態はかなり詳細に説明されているが、上述の開示が完全に理解されれば、当業者には数多くの変形及び変更が明らかになるであろう。添付の請求項はこのような変形及び変更を全て包含するように解釈されることが意図されている。
【図１】
0005895102.tif 000002
【図２】
0005895102.tif 000003
【図３】
0005895102.tif 000004
【図４Ａ】
0005895102.tif 000005
【図４Ｂ】
0005895102.tif 000006
【図５】
0005895102.tif 000007